(57)【要約】【課題】  ＨＤＭＩ機器の接続情報を階層構造で表示する。【解決手段】  構造演算手段により、ＨＤＭＩ（High-Definition Multimedia Interface）による接続構造を、ＨＤＭＩ機器の物理アドレスから求める。映像出力手段により、構造演算手段によって求めた接続構造に応じて、前記ＨＤＭＩ機器の接続構造の映像を表示するために出力する。表示手段は、映像出力手段から入力された前記接続構造の映像を表示する。ＨＤＭＩ−ＣＥＣ（Consumer Electronics Control）規格を用いて、接続構造の映像をＧＵＩとし、機器選択のために用いる。【選択図】      図４
2009065391.tif 000002
【特許請求の範囲】
【請求項１】
ＨＤＭＩ（High-Definition Multimedia Interface）による接続構造を、ＨＤＭＩ機器の物理アドレスから求める構造演算手段と、
この構造演算手段によって求めた接続構造に応じて、前記ＨＤＭＩ機器の接続構造の映像を表示するために出力する映像出力手段とを備えたことを特徴とする映像処理装置。
【請求項２】
前記接続構造を木構造で表示することを特徴とする請求項１記載の映像処理装置。
【請求項３】
前記映像出力手段は、前記接続構造を所望のＨＤＭＩ機器を選択可能とするＧＵＩとして生成し、
更に、ＨＤＭＩ−ＣＥＣ（Consumer Electronics Control）規格を用いて、前記ＧＵＩにより選択されたＨＤＭＩ機器を選択する機器選択手段を備えたことを特徴とする請求項１または２記載の映像処理装置。
【請求項４】
更に、ＨＤＭＩ機器のアドレスまたは接続されたポート番号を表示することを特徴とする請求項１乃至３のいずれか１項記載の映像処理装置。
【請求項５】
更に、ＨＤＭＩ機器がコントロール可能がＨＤＭＩ−ＣＥＣ規格に対応した操作が可能な機器であるか否かを示す情報を表示することを特徴とする請求項１乃至４のいずれか１項記載の映像処理装置。
【請求項６】
更に、ＨＤＭＩ機器の電源投入状態を示す情報を表示することを特徴とする請求項１乃至５のいずれか１項記載の映像処理装置。
【請求項７】
更に、前記映像出力手段から入力された前記接続構造の映像を表示する表示手段を備えたことを特徴とする請求項１乃至６のいずれか１項記載の映像処理装置。
【請求項８】
構造演算手段により、ＨＤＭＩ（High-Definition Multimedia Interface）による接続構造を、ＨＤＭＩ機器の物理アドレスから求め、
前記構造演算手段によって求めた接続構造に応じて、前記ＨＤＭＩ機器の接続構造の映像を表示するために出力することを特徴とする映像処理方法。
【発明の詳細な説明】
【技術分野】
【０００１】
この発明は映像処理装置に関する。
【背景技術】
【０００２】
ＨＤＭＩの規格に含まれるＥＤＩＤ（Extended Display Identification Data）に記載されている情報を元に、ＨＤＭＩ機器間で機器名称や種別等をやり取りし、双方の表示機器で表示することが可能である。
【０００３】
ところが実際のＨＤＭＩ機器間の接続形式は必ずしも１対１ではなく、例えばデジタルＴＶとＨＤＭＩ対応アンプが接続され、このアンプに更に複数のＨＤＭＩ機器が接続されるようなケースが想定される。
【０００４】
このような場合でもデジタルＴＶからは直接繋がっているアンプの情報のみしか表示できなかった。
従来、ネットワークの木構造の接続状況を表示する技術が知られている（例えば、特許文献１参照）。
【特許文献１】特許第３４７１５８９号公報
【発明の開示】
【発明が解決しようとする課題】
【０００５】
しかし、特許文献１では、ＨＤＭＩ−ＣＥＣ接続された機器についてネットワークの接続構造を表示することはできないという問題があった。
この発明は、ＨＤＭＩ−ＣＥＣ接続された機器についてネットワークの接続構造を表示させ使用者の利便性を上げることを目的とする。
更には、ネットワークの接続構造の接続状況を表示させたＧＵＩ画面上にて、制御対象の機器の切替え操作を行うことが出来るようにし、使用者の利便性を上げることを目的とする。
【課題を解決するための手段】
【０００６】
上記の目的を達成するために、この発明においては、ＨＤＭＩ（High-Definition Multimedia Interface）による接続構造を、ＨＤＭＩ機器の物理アドレスから求める構造演算手段と、この構造演算手段によって求めた接続構造に応じて、前記ＨＤＭＩ機器の接続構造の映像を表示するために出力する映像出力手段とを備えたことを特徴とする映像処理装置を提供する。
【０００７】
また、上記の目的を達成するために、この発明においては、構造演算手段により、ＨＤＭＩ（High-Definition Multimedia Interface）による接続構造を、ＨＤＭＩ機器の物理アドレスから求め、前記構造演算手段によって求めた接続構造に応じて、前記ＨＤＭＩ機器の接続構造の映像を表示するために出力することを特徴とする映像処理方法を提供する。
【０００８】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００９】
この発明によれば、ＨＤＭＩ機器の接続情報を階層構造で表示するので、ＨＤＭＩ機器の接続状況を知ることができる。
【発明を実施するための最良の形態】
【００１０】
以下、図面を参照しながら本発明の実施形態について説明する。
図１は、デジタルテレビジョン放送受信装置１０１の主要な信号処理系を示している。
ＢＳ／ＣＳデジタル放送受信用のアンテナ１４３で受信した衛星デジタルテレビジョン放送信号は、入力端子１４４を介して衛星デジタル放送用のチューナ１４５ａに供給される。
【００１１】
チューナ１４５ａは、制御部１６１からの制御信号により所望のチャンネルの放送信号を選局し、この選局された放送信号をＰＳＫ（Phase Shift Keying）復調器１４５ｂに出力する。
【００１２】
ＰＳＫ復調器１４５ｂは、制御部１６１からの制御信号により、チューナ１４５ａで選局された放送信号を復調し、所望の番組を含んだトランスポートストリームを得て、ＴＳ復号器１４５ｃに出力する。
【００１３】
ＴＳ復号器１４５ｃは、制御部１６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部１４７内のＳＴＤバッファ１４７ｆへ出力する。
【００１４】
また、ＴＳ復号器１４５ｃは、デジタル放送により送られているセクション情報を信号処理部１４７内のセクション処理部１４７ｈへ出力する。
また、地上波放送受信用のアンテナ１４８で受信した地上デジタルテレビジョン放送信号は、入力端子１４９を介して地上デジタル放送用のチューナ１５０ａに供給される。
【００１５】
チューナ１５０ａは、制御部１６１からの制御信号により所望のチャンネルの放送信号を選局し、この選局された放送信号をＯＦＤＭ（Orthogonal Frequency Division Multiplexing）復調器１５０ｂに出力する。
【００１６】
ＯＦＤＭ復調器１５０ｂは、制御部１６１からの制御信号により、チューナ１５０ａで選局された放送信号を復調し、所望の番組を含んだトランスポートストリームを得て、ＴＳ復号器１５０ｃに出力する。
【００１７】
ＴＳ復号器１５０ｃは、制御部１６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部１４７内のＳＴＤバッファ１４７ｆへ出力する。
【００１８】
また、ＴＳ復号器１５０ｃは、デジタル放送により送られているセクション情報を信号処理部１４７内のセクション処理部１４７ｈへ出力する。
ここで、上記信号処理部１４７は、テレビ視聴時には、ＴＳ復号器１４５ｃおよびＴＳ復号器１５０ｃからそれぞれ供給されたデジタルの映像信号及び音声信号に対して、選択的に所定のデジタル信号処理を施し、グラフィック処理部１５４及び音声処理部１５５に出力している。また、信号処理部１４７は、コンテンツ再生時には、制御部１６１から入力されたコンテンツの再生信号を選択し、所定のデジタル信号処理を施し、グラフィック処理部１５４及び音声処理部１５５に出力している。
【００１９】
制御部１６１には、信号処理部１４７から、番組を取得するための各種データや電子番組ガイド（ＥＰＧ）情報，番組属性情報（番組ジャンル等），字幕情報等（サービス情報、ＳＩやＰＳＩ）が入力されている。
【００２０】
制御部１６１は、これら入力された情報からＥＰＧ，字幕を表示するため画像生成処理を行い、この生成した画像情報をグラフィック処理部１５４へ出力する。
信号処理部１４７内のセクション処理部１４７ｈは、ＴＳ復号器１４５ｃ（１５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部１６１へ出力する。
【００２１】
グラフィック処理部１５４は、（１）信号処理部１４７内のＡＶデコーダ１４７ｇから供給されるデジタルの映像信号と、（２）ＯＳＤ（On Screen Display）信号生成部１５７で生成されるＯＳＤ信号と、（３）データ放送による画像データと、（４）制御部１６１により生成されたＥＰＧ，字幕信号とを合成して映像処理部１５８へ出力する機能を有する。
【００２２】
また、字幕放送による字幕を表示するとき、グラフィック処理部１５４は、制御部１６１からの制御による字幕情報に基づき、映像信号上に字幕情報を重畳する処理を行う。
【００２３】
グラフィック処理部１５４から出力されたデジタルの映像信号は、映像処理部１５８に供給される。この映像処理部１５８は、入力されたデジタルの映像信号を、映像表示器１１４で表示可能なフォーマットのアナログ映像信号に変換した後、映像表示器１１４に出力して映像表示させるとともに、出力端子１５９を介して外部に導出させる。
【００２４】
また、上記音声処理部１５５は、入力されたデジタルの音声信号を、スピーカ１１５で再生可能なフォーマットのアナログ音声信号に変換した後、スピーカ１１５に出力して音声再生させるとともに、出力端子１６０を介して外部に導出させる。
【００２５】
ここで、このデジタルテレビジョン放送受信装置１０１は、上記した各種の受信動作を含むその全ての動作を制御部１６１によって統括的に制御されている。この制御部１６１は、ＣＰＵ（Central Processing Unit）等を内蔵しており、操作部１１６からの操作情報を受け、または、例えば赤外線を用いたリモートコントローラ１１７から送出された操作情報を、受光部１１８を介して受信し、その操作内容が反映されるように各部をそれぞれ制御している。
【００２６】
この場合、制御部１６１は、主として、そのＣＰＵが実行する制御プログラムを格納したＲＯＭ（Read Only Memory）１６１ａと、該ＣＰＵに作業エリアを提供するＲＡＭ（Random Access Memory）１６１ｂと、各種の設定情報及び制御情報等が格納される不揮発性メモリ１６１ｃとを利用している。
【００２７】
また、この制御部１６１は、カードＩ／Ｆ（Interface）１６５を介して、第１のメモリカード１１９が装着可能なカードホルダ１６６に接続されている。これによって、制御部１６１は、カードホルダ１６６に装着された第１のメモリカード１１９と、カードＩ／Ｆ１６５を介して情報伝送することができる。
【００２８】
さらに、上記制御部１６１は、カードＩ／Ｆ１６７を介して、第２のメモリカード１２０が装着可能なカードホルダ１６８に接続されている。これにより、制御部１６１は、カードホルダ１６８に装着された第２のメモリカード１２０と、カードＩ／Ｆ１６７を介して情報伝送することができる。
【００２９】
また、上記制御部１６１は、ＨＤＭＩ  Ｉ／Ｆ１６９を介してＨＤＭＩ端子１２１に接続されている。これにより、制御部１６１は、ＨＤＭＩ端子１２１に接続されたＨＤＭＩ機器と、ＨＤＭＩ  Ｉ／Ｆ１６９を介して情報伝送することができる。
【００３０】
さらに、上記制御部１６１は、通信Ｉ／Ｆ１７０を介してＬＡＮ端子１２２に接続されている。これにより、制御部１６１は、ＬＡＮ端子１２２に接続された各機器（例えば、ＬＡＮ−ＨＤＤ等）と、通信Ｉ／Ｆ１７０を介して情報伝送することができる。
【００３１】
また、上記制御部１６１は、ＵＳＢ  Ｉ／Ｆ１７１を介してＵＳＢ端子１２３に接続されている。これにより、制御部１６１は、ＵＳＢ端子１２３に接続された各機器（例えば、ＬＡＮ−ＨＤＤ等）と、ＵＳＢ  Ｉ／Ｆ１７１を介して情報伝送することができる。
【００３２】
さらに、上記制御部１６１は、ｉ．ＬＩＮＫ  Ｉ／Ｆ１７２を介してｉ．ＬＩＮＫ端子１２４に接続されている。これにより、制御部１６１は、ｉ．ＬＩＮＫ端子１２４に接続された各機器と、ｉ．ＬＩＮＫ  Ｉ／Ｆ１７２を介して情報伝送することができる。
【００３３】
図３は、この発明を適用したデジタルテレビジョン放送受信装置１０１を含むＨＤＭＩによる接続の一例を示す図である。接続の一例として、デジタルテレビジョン放送受信装置１０１とＡＶアンプ２０１がＨＤＭＩで接続され、ＡＶアンプ２０１にＨＤＭＩ機器が３台（３０１，４０１，５０１）、ＨＤＭＩ接続されているモデルを使用する。ＨＤＭＩ端子間では、ＨＤＭＩ規格に基づいて、音声・映像信号の他、制御信号等についても通信が行われる。
【００３４】
ＨＤＭＩ機器１であるデジタルテレビジョン放送受信装置１０１は、ＨＤＭＩ端子１２１を介してＨＤＭＩ機器２であるＡＶアンプ２０１のＨＤＭＩ端子２５１と接続されている。
【００３５】
ＨＤＭＩ機器２であるＡＶアンプ２０１は、４つのＨＤＭＩ端子を備えている。ＨＤＭＩ端子２５１は主に映像・音声を出力するための端子であり、デジタルテレビジョン放送受信装置１０１のＨＤＭＩ端子１２１へ接続されている。
【００３６】
ＡＶアンプ２０１は、主に映像・音声の入力用の端子として３つのＨＤＭＩ端子２１１，２１２，２１３を備えている。
ＡＶアンプ２０１のＨＤＭＩ端子２１１は、ＨＤＭＩ機器３であるパーソナルコンピュータ（例えば、型名：ＴＯＳＨＩＢＡ  ＰＣ−ＸＸ）３０１のＨＤＭＩ端子３５１と接続されている。
【００３７】
ＡＶアンプ２０１のＨＤＭＩ端子２１２は、ＨＤＭＩ機器４であるＤＶＤプレーヤ（例えば、型名：ＤＶＤ  ＸＸ１０００）４０１のＨＤＭＩ端子４５１と接続されている。
【００３８】
ＡＶアンプ２０１のＨＤＭＩ端子２１３は、ＨＤＭＩ機器５であるパーソナルコンピュータ（例えば、型名：ＰＣ  ＹＹ１０００）５０１のＨＤＭＩ端子５５１と接続されている。
【００３９】
ＨＤＭＩ機器３であるパーソナルコンピュータ（例えば、型名：ＴＯＳＨＩＢＡ  ＰＣ−ＸＸ）３０１は、ＨＤＭＩ−ＣＥＣに対応した機器であり、映像・音声・制御信号（ＨＤＭＩ−ＣＥＣによる制御信号を含む）等をＡＶアンプ２０１のＨＤＭＩ端子２１１へ出力する。
【００４０】
ＨＤＭＩ機器４であるＤＶＤプレーヤ（例えば、型名：ＤＶＤ  ＸＸ１０００）４０１は、ＨＤＭＩ−ＣＥＣに対応した機器であり、映像・音声・制御信号（ＨＤＭＩ−ＣＥＣによる制御信号を含む）等をＡＶアンプ２０１のＨＤＭＩ端子２１２へ出力する。
【００４１】
ＨＤＭＩ機器５であるパーソナルコンピュータ（例えば、型名：ＰＣ  ＹＹ１０００）５０１は、ＨＤＭＩ−ＣＥＣに非対応の機器であり、映像・音声信号・制御信号をＡＶアンプ２０１のＨＤＭＩ端子２１３へ出力する。
【００４２】
ＨＤＭＩ機器には、それぞれＨＤＭＩ機器の番地を示す物理アドレス（Physical Address）が、拡張ディスプレイ識別データ（ＥＤＩＤ：Extended Display Identification Data）内に記載されており、この物理アドレスは各ＨＤＭＩ機器の端子別に管理されている。このＥＤＩＤ内に記載されている物理アドレスは、ＨＤＭＩ（High-Definition Multimedia Interface Specification Version 1.3a）の規格（以下ＨＤＭＩ規格仕様書）によって以下の様な決まりが規定されている。
【００４３】
物理アドレスは、４ビットからなる［Ａ，Ｂ，Ｃ，Ｄ］（Ａ，Ｂ，Ｃ，Ｄは、０〜２５５迄のある値）という形式のアドレスが付加される（詳細には、ＨＤＭＩ規格仕様書  Table 8-6 HDMI-LLC Vendor-Specific Data Block（HDMI VSDB）を参照）。
【００４４】
ここで図２を用いて、ＨＤＭＩ規格の仕様書に基づいて付与される物理アドレスについて説明する。図２は、ＨＤＭＩ規格の仕様書に基づいて付与される物理アドレスを説明するための図である。
【００４５】
ＨＤＭＩ規格仕様書  ８．７．２  Physical Address Discovery、８．７．３  Discovery Algorithmに示される規格では、“ｒｏｏｔ”機器であるＨＤＭＩ機器２０１は、ＨＤＭＩ機器２０１は自身に［０，０，０，０］の物理アドレスを発番する。
【００４６】
基本的にＨＤＭＩでは、１段上位の機器から物理アドレスを発番するのに必要な情報（物理アドレス、何番のポートなのか等）を受け取り、自分で物理アドレスを発番することになっている。但し、デジタルテレビジョン放送受信装置１０１の場合、更なる上段が無いという前提でｒｏｏｔ機器となり［０，０，０，０］の物理アドレスを発番する。
【００４７】
ＨＤＭＩ規格では、“ｒｏｏｔ”機器であるＨＤＭＩ機器２０１のＨＤＭＩポート１の先に接続されるＨＤＭＩ機器２１０の物理アドレスとして、第１ビット目には“ｒｏｏｔ”機器であるＨＤＭＩ機器２０１のポートの番号である“１”が付与されることが決まっている。このためＨＤＭＩ機器２１０は、ＨＤＭＩ機器２１０の物理アドレスとして図２に示す通り［１，０，０，０］を発番する。
【００４８】
同様にしてＨＤＭＩ規格では、“ｒｏｏｔ”機器であるＨＤＭＩ機器２０１のＨＤＭＩポート２の先に接続されるＨＤＭＩ機器２２０の物理アドレスは、第１ビット目には“ｒｏｏｔ”機器であるＨＤＭＩ機器２０１のポートの番号である“２”が付与されることが決まっている。このためＨＤＭＩ機器２２０は、ＨＤＭＩ機器２２０の物理アドレスとして図２に示す通り［２，０，０，０］を発番する。
【００４９】
このように第１ビット目には、“ｒｏｏｔ”機器のポートの番号が付与される。
ＨＤＭＩ規格では、ＨＤＭＩ機器２１０のＨＤＭＩポート１の先に接続されるＨＤＭＩ機器２１１の物理アドレスとして、第１ビット目には上位階層のＨＤＭＩ機器２１０の第１ビット目である“１”を引用し、第２ビット目にはＨＤＭＩ機器２１０のポートの番号である“１”を引用することが決まっている。このためＨＤＭＩ機器２１１は、ＨＤＭＩ機器２１１の物理アドレスとして図２に示す通り［１，１，０，０］を発番する。
【００５０】
同様にして、ＨＤＭＩ規格では、ＨＤＭＩ機器２１０のＨＤＭＩポート２の先に接続されるＨＤＭＩ機器２１２の物理アドレスとして、第１ビット目には上位階層のＨＤＭＩ機器２１０の第１ビット目である“１”を引用し、第２ビット目にはＨＤＭＩ機器２１０のポートの番号である“２”を引用することが決まっている。このためＨＤＭＩ機器２１２は、ＨＤＭＩ機器２１２の物理アドレスとして図２に示す通り［１，２，０，０］を発番する。
【００５１】
ＨＤＭＩ規格では、ＨＤＭＩ機器２２０のＨＤＭＩポート１の先に接続されるＨＤＭＩ機器２２１の物理アドレスとして、第１ビット目には上位階層のＨＤＭＩ機器２２０の第１ビット目である“２”を引用し、第２ビット目にはＨＤＭＩ機器２２０のポートの番号である“１”を引用することが決まっている。このためＨＤＭＩ機器２２１は、ＨＤＭＩ機器２２１の物理アドレスとして図２に示す通り［２，１，０，０］を発番する。
【００５２】
同様にして、ＨＤＭＩ規格では、ＨＤＭＩ機器２２０のＨＤＭＩポート２の先に接続されるＨＤＭＩ機器２２２の物理アドレスとして、第１ビット目には上位階層のＨＤＭＩ機器２１０の第１ビット目である“２”を引用し、第２ビット目にはＨＤＭＩ機器２２０のポートの番号である“２”を引用することが決まっている。このためＨＤＭＩ機器２２２は、ＨＤＭＩ機器２２２の物理アドレスとして図２に示す通り［２，２，０，０］を発番する。
【００５３】
ＨＤＭＩ規格では、ＨＤＭＩ機器２１１のＨＤＭＩポート１の先に接続されるＨＤＭＩ機器２１１１の物理アドレスとして、第１ビット目には上位階層のＨＤＭＩ機器２２０の第１ビット目である“１”を引用し、第２ビット目には上位階層のＨＤＭＩ機器２１１の第２ビット目である“１”を引用し、第３ビット目にはＨＤＭＩ機器２１１のポートの番号である“１”を引用することが決まっている。このためＨＤＭＩ機器２１１１は、ＨＤＭＩ機器２１１１の物理アドレスとして図２に示す通り［１，１，１，０］を発番する。
【００５４】
ＨＤＭＩ規格では、ＨＤＭＩ機器２１１１のＨＤＭＩポート１の先に接続されるＨＤＭＩ機器２１１１１の物理アドレスとして、第１ビット目には上位階層のＨＤＭＩ機器２２０の第１ビット目である“１”を引用し、第２ビット目には上位階層のＨＤＭＩ機器２１１の第２ビット目である“１”を引用し、第３ビット目には上位階層のＨＤＭＩ機器２１１１の第３ビット目である“１”を引用し、第４ビット目にはＨＤＭＩ機器２１１１のポートの番号である“１”を引用することが決まっている。このためＨＤＭＩ機器２１１１１は、ＨＤＭＩ機器２１１１１の物理アドレスとして図２に示す通り［１，１，１，１］を発番する。
【００５５】
このようなＨＤＭＩ規格における物理アドレス付与ルールに基づいて図２に示す通りの物理アドレスが各ＨＤＭＩ機器に発番される。
なお、このような物理アドレスの発番動作については、システム構成が変わった場合や、電源立ち上げ時等に動作が行われる。
図３に戻って説明を続ける。図３に示すシステムの場合、デジタルテレビジョン放送受信装置１０１が“ｒｏｏｔ”として、デジタルテレビジョン放送受信装置１０１自身に［０，０，０，０］の物理アドレスを発番する。ＡＶアンプ２０１に繋がる機器の物理アドレスについては図２で説明したＨＤＭＩ規格の仕様書に基づいて付与される物理アドレス発番のルールに基づき、［１，１，０，０］、［１，２，０，０］の物理アドレスを発番する。
【００５６】
ユーザがリモートコントローラ１１７を操作することでデジタルテレビジョン放送受信装置１０１を制御し、デジタルテレビジョン放送受信装置１０１に対して、ＡＶアンプ２０１が繋がっているＨＤＭＩ端子１２１をＨＤＭＩ入力切替により選択させる。図２で説明したような物理アドレスの付与ルールによりＡＶアンプ２０１の物理アドレスは［１，０，０，０］が発番されている。
【００５７】
ＡＶアンプ２０１の物理アドレスが［１，０，０，０］であることは、全てのＨＤＭＩ機器（即ち、ＨＤＭＩ機器１〜５）が認識している。
ＡＶアンプ２０１のＨＤＭＩポート１〜ＨＤＭＩポート３（ＨＤＭＩ端子２１１〜２１３）に接続されているそれぞれのＨＤＭＩ機器３〜５は、物理アドレスが［１，０，０，０］のＡＶアンプ２０１から接続されているので、それぞれ［１，１，０，０］、［１，２，０，０］、［１，３，０，０］の物理アドレスが発番され、この情報はＨＤＭＩによって接続されている全てのＨＤＭＩ機器間で共有される。
【００５８】
これらの物理アドレスをデジタルテレビジョン放送受信装置１０１が把握することによって、図４の画面表示例に示すように、ＨＤＭＩ機器の接続構造を表示することができる。図４に示すように、各ＨＤＭＩ機器にはカーソルを配置させる。図４で、ＨＤＭＩ機器４が太枠となっているのはカーソルであり、このカーソルによりＨＤＭＩ機器４が選択されていることを示している。
【００５９】
図４に示す画面表示によるＨＤＭＩ機器選択機能については、図１の制御部１６１で生成して映像信号に多重して映像表示器１１４に表示させ、従来から知られているＧＵＩ機能により機器選択機能を実現させれば良い。
【００６０】
例えば、デジタルテレビジョン放送受信装置１０１の映像表示器１１４に表示するＨＤＭＩのソース機器を、ＨＤＭＩ機器３からＨＤＭＩ機器４に変更するためには、例えばユーザがリモートコントローラ１１７の「ソース機器選択メニュー」ボタンを操作して図４に示すソース機器選択画面を表示させるよう指示する。するとデジタルテレビジョン放送受信装置１０１は、映像表示器１１４に図３のソース機器選択メニューを表示させる。
【００６１】
なお、デジタルテレビジョン放送受信装置１０１からみて孫接続にあたるＨＤＭＩ−ＣＥＣ規格に対応していない機器については、デジタルテレビジョン放送受信装置１０１から存在を知るすべがなく、この図４のソース機器選択画面上に表示されることはない。
【００６２】
図４の画面上にてユーザがリモートコントローラ１１７の上下左右キーを操作によりカーソルを移動させることで所望のＨＤＭＩ機器を選択することが可能である。ユーザが、ＨＤＭＩ機器４をカーソルで選択している状態でリモートコントローラ１１７の決定キーを押下すると、デジタルテレビジョン放送受信装置１０１の映像表示器１１４に表示するＨＤＭＩのソース機器が、ＨＤＭＩ機器３からＨＤＭＩ機器４に変更される。
【００６３】
デジタルテレビジョン放送受信装置１０１の映像表示器１１４に表示するＨＤＭＩのソース機器を、ＨＤＭＩ機器３からＨＤＭＩ機器４に変更するためには、ＨＤＭＩ−ＣＥＣ規格で定められた手順により、デジタルテレビジョン放送受信装置１０１から、表示するソースの出力対象を［１，１，０，０］から［１，２，０，０］へ変更する指示を発行し、これを受け取ったＡＶアンプ２０１は、ＡＶアンプ２０１内のセレクタに対してＨＤＭＩ機器４を選択するように切り替え、ＨＤＭＩ機器４はソース信号となる映像・音声等のデータをＨＤＭＩ端子４５１から出力する。するとＨＤＭＩ端子４５１から出力された映像・音声等のデータはＡＶアンプ２０１内のＨＤＭＩ端子２１２，ＡＶアンプ２０１内のセレクタ，ＨＤＭＩ端子２５１を介してデジタルテレビジョン放送受信装置１０１のＨＤＭＩ端子１２１へ入力される。この結果、ＨＤＭＩ端子４５１から出力された映像・音声等のデータが映像表示器１１４に表示される。
【００６４】
これによって図４に示すようなツリー状の一覧表示画面からカーソル移動等で、表示させるソース機器を選択することができる。
（ＨＤＭＩ−ＣＥＣ規格による操作が可能かを表示）
また、接続されているＨＤＭＩ機器がＨＤＭＩ−ＣＥＣ規格に対応しておりコントロール可能か否かをＣＥＣのコマンド（“give physical address 等”）でやり取りを行うことで判別できるため、この情報に応じてＨＤＭＩ機器がコントロール可能であれば、図５に示すようにＨＤＭＩ−ＣＥＣ規格による操作が可能なことを示す“ＨＤＭＩ連動”という表示を行うようにする。この表示は文字ではなくアイコン等のイメージで示してもよい。
【００６５】
なお、デジタルテレビジョン放送受信装置１０１からみて孫接続にあたるＨＤＭＩ−ＣＥＣ規格に対応していない機器については、デジタルテレビジョン放送受信装置１０１から存在を知るすべがなく、ＨＤＭＩ連動／非連動、電源の投入状態（ＯＮ／ＯＦＦ状態）について検出することは不可能である。よって、孫接続以降についてはＨＤＭＩ−ＣＥＣ規格に対応している機器のみについてＨＤＭＩ連動／非連動、電源のＯＮ／ＯＦＦ状態を同時に表示することが可能となる。
【００６６】
また、図６は、図３に示した全接続構造の内の一部の階層構造に適用した例であり、あるＨＤＭＩ機器（図６ではＡＶアンプ２０１）に接続される３台のＨＤＭＩ機器が接続されていることを示す。この図６では、ＡＶアンプ２０１には、３台のソース機器となるＨＤＭＩ−ＣＥＣ規格に対応している機器が接続されており、ＡＶアンプ２０１に対してどのソースを選択させるかを表示させているＧＵＩを示す図である。
【００６７】
ＡＶアンプ２０１には、符号“１”が付与され表示されている。
３台のソース機器となるＨＤＭＩ−ＣＥＣ規格に対応している機器には、符号１の機器に接続されている機器であることを示す符号“１−１”，“１−２”，“１−３”が付与され表示されている。
【００６８】
これによりユーザは、ＡＶアンプ２０１（“１”）には、３台のソース機器となるＨＤＭＩ−ＣＥＣ規格に対応している機器（“１−１”，“１−２”，“１−３”）が接続されていることを知ることができる。
【００６９】
なお、ＨＤＭＩ−ＣＥＣ規格による操作が可能なことを示す“ＨＤＭＩ連動”については、図６に示すＨＤＭＩ機器一覧表示画面中のリスト上に記載するようにしてもよい。
【００７０】
（電源のＯＮ／ＯＦＦ状態を表示）
同様に、ＥＤＩＤ等で取得できる電源のＯＮ／ＯＦＦ状態を示す情報なども表示することができる。例えば、図５に示すように電源のＯＮ／ＯＦＦ状態を示す情報を更に表示する。
【００７１】
以上説明したとおり、本発明によれば、ＨＤＭＩ機器の接続情報を階層構造で表示するので、ＨＤＭＩ機器の接続状況を知ることができる。
更に、この階層構造のＧＵＩからＨＤＭＩ機器を選択することができるようにしたので、ユーザは接続構造からＨＤＭＩ機器を選択することができる。
更に、階層構造に加えて、接続されているＨＤＭＩ機器がＨＤＭＩ−ＣＥＣ規格に対応しておりコントロール可能か否かを示す情報も同時に表示するので、電源のＯＮ／ＯＦＦ状態についても知ることができる。
【００７２】
更に、階層構造に加えて電源のＯＮ／ＯＦＦ状態を示す情報も同時に表示するので、電源のＯＮ／ＯＦＦ状態についても知ることができる。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７３】
【図１】デジタルテレビジョン放送受信装置１０１の主要な信号処理系を示す図。
【図２】ＨＤＭＩ規格の仕様書に基づいて付与される物理アドレスを説明するための図。
【図３】デジタルテレビジョン放送受信装置１０１を含むＨＤＭＩによる接続の一例を示す図。
【図４】ＨＤＭＩ接続の接続構造の画面表示例を示す図。
【図５】ＨＤＭＩ接続の接続構造の画面表示例を示す図。
【図６】ＨＤＭＩ接続の接続構造の内の一部の階層構造の画面表示例を示す図。
【符号の説明】
【００７４】
１０１…デジタルテレビジョン放送受信装置、１１４…映像表示器、１１５…スピーカ、１１６…操作部、１１８…受光部、１１９…第１のメモリカード、１２０…第２のメモリカード、１２１…ＨＤＭＩ端子、１２２…ＬＡＮ端子、１２３…ＵＳＢ端子、１２４…ｉ．ＬＩＮＫ端子、１４３…ＢＳ／ＣＳデジタル放送受信用のアンテナ、１４４，１４９…入力端子、１４５ａ…チューナ、１４５ｂ…ＰＳＫ（Phase Shift Keying）復調器、１４５ｃ…ＴＳ復号器、１４７…信号処理部、１４８…地上波放送受信用のアンテナ、１５０ａ…チューナ、１５０ｂ…ＯＦＤＭ（Orthogonal Frequency Division Multiplexing）復調器、１５０ｃ…ＴＳ復号器、１５４…グラフィック処理部、１５５…音声処理部、１５８…映像処理部、１５９…出力端子、１６０…出力端子、１６１…制御部、１６１ａ…ＲＯＭ（Read Only Memory）、１６１ｂ…ＲＡＭ（Random Access Memory）、１６１ｃ…不揮発性メモリ、１６５，１６７…カードＩ／Ｆ（Interface）、１６６…カードホルダ、１６８…カードホルダ、１６９…ＨＤＭＩ  Ｉ／Ｆ、１７０…通信Ｉ／Ｆ、１７１…ＵＳＢ  Ｉ／Ｆ、１７２…ｉ．ＬＩＮＫ  Ｉ／Ｆ。
【図１】
2009065391.tif 000003
【図２】
2009065391.tif 000004
【図３】
2009065391.tif 000005
【図４】
2009065391.tif 000006
【図５】
2009065391.tif 000007
【図６】
2009065391.tif 000008